(57)【要約】【課題】内容物を傷めることなく、フラップを確実に固定して封緘できる簡易ロック付包装箱を提供する。【解決手段】端壁１及び側壁２にそれぞれ端フラップ６及び側フラップ７を連設し、端フラップ６に係止片９を、側フラップ７に貫穴１２をそれぞれ形成し、端フラップ６に側フラップ７を重ね、係止片９を撓ませつつ貫穴１２から引き出すと、係止片９が復元に伴い貫穴１２から抜け止めされ、端フラップ６と側フラップ７とが固定されて封緘される簡易ロック付の包装箱において、端フラップ６の中間部に横方向の罫線８を入れ、この罫線８の位置から端壁１側への切込により係止片９を形成し、端フラップ６を罫線８沿いに折り込んで、これに伴い突出した係止片９を貫穴１２から引き出しつつ、端フラップ６の基端側へ折り曲げて、端フラップ６と側フラップ７とを固定する。【選択図】図３
2006160302.tif 000002
【特許請求の範囲】
【請求項１】
端壁及び側壁にそれぞれ端フラップ及び側フラップを連設し、端フラップに係止片を、側フラップに貫穴をそれぞれ形成し、端フラップに側フラップを重ね、係止片を撓ませつつ貫穴から引き出すと、係止片が復元に伴い貫穴から抜け止めされ、端フラップと側フラップとが固定されて封緘される簡易ロック付の包装箱において、端フラップの中間部に横方向の罫線を入れ、この罫線の位置から端壁側への切込により係止片を形成し、端フラップを罫線沿いに折り込んで、これに伴い突出した係止片を貫穴から引き出しつつ、端フラップの基端側へ折り曲げて、端フラップと側フラップとを固定するようにしたことを特徴とする簡易ロック付包装箱。
【発明の詳細な説明】
【技術分野】
【０００１】
この発明は、閉じたフラップを簡単に固定できるロック付包装箱に関するものである。
【背景技術】
【０００２】
従来、キャベツやかぼちゃ等の農産物を収納する段ボール製の包装箱として、図４に示すようなものが提案されている（下記特許文献１参照）。この包装箱は、端壁５１及び側壁５２の上端に連設した短い端フラップ５３及び側フラップ５４を閉じたとき、天面に開口部が残存し、農産物の盛り上がりを許容するショートフラップ式のものである。
【０００３】
この包装箱では、一方の端フラップ５３に、先端からの切込により頭部が両側へ張り出した係止片５５が形成され、これに重なる側フラップ５４に係止片５５の頭部よりも幅が狭い楕円状の貫穴５６が形成されている。
【０００４】
そして、封緘に際し、端フラップ５３及び側フラップ５４を周方向に順次折り曲げ、係止片５５を撓ませつつ貫穴５６から引き出すと、係止片５５が復元に伴い貫穴５６から抜け止めされ、端フラップ５３と側フラップ５４とが固定される。
【０００５】
ところで、上記のような包装箱では、係止片５５の基端の折目が、他の稜線の折目とは逆折りとなり、罫線の入っていない方向へ折り曲げることとなるので、係止片５５の基端に割れが生じて、係止片５５が千切れやすく、端フラップ５３と側フラップ５４の固定が甘くなりやすいという問題がある。
【０００６】
その対策として、図５及び図６に示すように、係止片５５を、端フラップ５３の基端側の端壁５１との稜線から切り込んで形成し、鉤状に切目を入れた貫穴５６に係止片５５の頭部を押し込むようにして封緘することにより、係止片５５の基端が他の稜線と同様の順折りとなるようにしたものが考えられている。
【０００７】
【特許文献１】特開２００１−３０１７４２号公報
【発明の開示】
【発明が解決しようとする課題】
【０００８】
しかしながら、図６に示す包装箱では、農産物が箱内に隙間なく詰め込まれていると、係止片５５の頭部を貫穴５６に押し込むことができない場合があり、このとき、係止片５５を無理に押し込もうとすると、係止片５５の先端で農産物を傷つける恐れがある。
【０００９】
そこで、この発明は、内容物を傷めることなく、フラップを確実に固定して封緘できる簡易ロック付包装箱を提供することを課題とする。
【課題を解決するための手段】
【００１０】
上記課題を解決するため、この発明は、端壁及び側壁にそれぞれ端フラップ及び側フラップを連設し、端フラップに係止片を、側フラップに貫穴をそれぞれ形成し、端フラップに側フラップを重ね、係止片を撓ませつつ貫穴から引き出すと、係止片が復元に伴い貫穴から抜け止めされ、端フラップと側フラップとが固定されて封緘される簡易ロック付の包装箱において、端フラップの中間部に横方向の罫線を入れ、この罫線の位置から端壁側への切込により係止片を形成し、端フラップを罫線沿いに折り込んで、これに伴い突出した係止片を貫穴から引き出しつつ、端フラップの基端側へ折り曲げて、端フラップと側フラップとを固定するようにしたのである。
【発明の効果】
【００１１】
この包装箱では、係止片を貫穴から引き出す際の折り曲げが、他の稜線と同様の順折りとなるので、係止片の折曲部分に割れ等が生じにくく、端フラップと側フラップとを強固に固定することができる。
【００１２】
また、この封緘に際し、係止片を箱内に差し込むのではなく、箱外に引き出すので、内容物を傷つけることもない。
【００１３】
さらに、ショートフラップ式のものでは、天面に残存する開口部から露出した端フラップの折込部に手を掛けると、この折込部はある程度の幅を有するので、手に食い込むことがなく、箱をぶら下げるようして、容易に持ち運ぶことができる。
【発明を実施するための最良の形態】
【００１４】
以下、この発明の実施形態を添付図面に基づいて説明する。
【００１５】
この包装箱は、図１に示すような段ボール製ブランクから形成される。このブランクでは、各一対の端壁１及び側壁２が交互に連設され、側壁２の開放端には継代３が連設されている。端壁１及び側壁２の下端には長い端フラップ４及び側フラップ５が、上端には短い端フラップ６及び側フラップ７がそれぞれ連設されている。
【００１６】
一方の端フラップ６には、中間部に横方向の罫線８が２本平行に入れられ、この端フラップ６の一側部において、罫線８の位置から端壁１側への切込により係止片９が形成されている。係止片９の中間部には、両側から切込１０が入れられ、その間の部分に横方向の罫線１１が２本平行に入れられている。
【００１７】
一方の側フラップ７には、封緘時に端フラップ６の係止片９に重なる位置に、長方形状の貫穴１２が形成されている。貫穴１２の幅は、係止片９の頭部の幅よりも狭く、両側の切込１０に挟まれた部分の幅とほぼ等しくなっている。
【００１８】
このようなブランクを組み立てて農産物を包装するには、図２に示すように、各一対の端壁１及び側壁２を角筒状に折り曲げ、継代３を反対側の端壁１の裏面に貼り付けて周壁を形成し、下方の端フラップ４及び側フラップ５を順次閉じて重ね合わせ、底面を封緘して、箱内に農産物を収納する。
【００１９】
そして、係止片９を有する端フラップ６を罫線８沿いにコ字状に折り込み、これに伴い係止片９を突出させ、係止片９を有する端フラップ６を始めとして、貫穴１２を有する側フラップ７が最後にこの端フラップ６に重なるように、各一対の端フラップ６及び側フラップ７を周方向に順次閉じるように折り曲げる。
【００２０】
その後、貫穴１２に指を入れて、図３に示すように、係止片９を罫線１１沿いに上方へ折り曲げ、両側の張出部を撓ませつつ、貫穴１２から引き出し、端フラップ６の基端側へ折り曲げると、係止片９が張出部の復元に伴い貫穴１２から抜け止めされて、端フラップ６と側フラップ７とが係合して固定され、天面が封緘される。
【００２１】
このような包装箱では、係止片９を貫穴１２から引き出す際の罫線１１に沿った折り曲げが、他の稜線と同様の順折りとなるので、係止片９の折曲部分に割れ等が生じにくく、端フラップ６と側フラップ７とを強固に固定することができる。
【００２２】
また、この封緘に際し、係止片９を箱内に差し込むのではなく、箱外に引き出すので、箱内に農産物が隙間なく詰め込まれていても、封緘することができ、このとき、収納した農産物を傷つけることもない。
【００２３】
また、天面に残存した開口部から露出する端フラップ６の罫線８に沿った折込部に手を掛けると、この折込部はある程度の幅を有するので、手に食い込むことがなく、箱をぶら下げるようにして、容易に持ち運ぶことができる。
【００２４】
なお、この実施形態では、一方の端フラップ６及び側フラップ７にのみ係止片９及び貫穴１２を設けたが、他方の端フラップ６及び側フラップ７にも、上記と同様、罫線８等と共に係止片９及び貫穴１２を設けるようにしてもよい。
【図面の簡単な説明】
【００２５】
【図１】この発明の実施形態に係る簡易ロック付包装箱のブランクを示す図
【図２】同上の封緘過程を示す斜視図
【図３】同上の封緘状態を示す斜視図
【図４】従来の簡易ロック付包装箱の一形態の封緘状態を示す斜視図
【図５】従来の簡易ロック付包装箱の他形態の封緘過程を示す斜視図
【図６】同上の封緘状態を示す斜視図
【符号の説明】
【００２６】
１  端壁
２  側壁
３  継代
４，６  端フラップ
５，７  側フラップ
８，１１  罫線
９  係止片
１０  切込
１２  貫穴
【図１】
2006160302.tif 000003
【図２】
2006160302.tif 000004
【図３】
2006160302.tif 000005
【図４】
2006160302.tif 000006
【図５】
2006160302.tif 000007
【図６】
2006160302.tif 000008